(57)【要約】      （修正有）【課題】液晶表示素子の複数の画素行への動作電圧の順次印加に対応して各画素行から順次画像光を出射させ、発光素子の配置を容易にするバックライトを提供する。【解決手段】液晶表示素子１の観察側と反対側に、画素行と平行な方向の一端側から光を入射させ、その光を他端方向に通過させる導光空間１８を形成し、且つ液晶表示素子１と対向する面に、倒伏状態と、導光空間１８に一端側から入射した光を液晶表示素子１に向けて反射する起き上がり状態とに制御する複数のマイクロミラー１９が複数行に配列させて設けられ、マイクロミラー１９が、液晶表示素子１の複数の画素行にそれぞれ対応する複数のマイクロミラー群毎に、複数の画素行への順次印加電圧に同期させて順次起き上がり状態に制御させるマイクロミラー配列パネル１６と、導光空間１８の一端に対向させて配置した複数の発光素子２３からなるバックライト１５を配置した。【選択図】図１
2008209779.tif 000002
【特許請求の範囲】
【請求項１】
光の透過を制御する複数の画素が行及び列方向に複数に配列され、前記行方向に配列した複数の画素からなる複数の画素行毎に、画像データに対応した各画素の動作電圧を順次印加して画像を表示する液晶表示素子と、
前記液晶表示素子の観察側とは反対側に配置され、前記液晶表示素子と対向する側に、前記画素行と平行な方向の一端側から光を入射させ、その光を他端方向に通過させる導光空間を形成し、且つ、前記液晶表示素子と対向する面に、前記面に対して倒伏した状態と、前記面に対して前記導光空間の他端方向に向かって斜めに起き上がり、前記導光空間に前記一端側から入射した光を前記液晶表示素子に向けて反射する状態とに制御される複数のマイクロミラーが複数行に配列させて設けられ、これらのマイクロミラーが、前記液晶表示素子の複数の画素行にそれぞれ対応する複数のマイクロミラー群毎に、前記液晶表示素子の複数の画素行への前記動作電圧の順次印加に同期させて順次前記起き上がり状態に制御されるマイクロミラー配列パネルと、前記導光空間の一端に対向させて配置され、前記導光空間に向けて光を出射する複数の発光素子とからなるバックライトと、
を備えることを特徴とする液晶表示装置。
【請求項２】
前記バックライトは、前記マイクロミラー配列パネルの前記液晶表示素子と対向する側に、前記マイクロミラー配列パネルとの間に間隙を設けて配置された透明板をさらに備えており、前記導光空間は、前記マイクロミラー配列パネルと前記透明板との間の間隙により形成されていることを特徴とする請求項１に記載の液晶表示装置。
【請求項３】
前記バックライトと前記液晶表示素子との間に、前記マイクロミラー配列パネルの起き上がり状態に制御されたマイクロミラーにより前記液晶表示素子に向けて反射された光を拡散させる拡散層が設けられていることを特徴とする請求項１または２に記載の液晶表示装置。
【発明の詳細な説明】
【技術分野】
【０００１】
この発明は、液晶表示装置に関する。
【背景技術】
【０００２】
液晶表示装置として、光の透過を制御する複数の画素が複数行に配列させて形成され、行方向に配列した複数の画素からなる複数の画素行毎に、画像データに対応した動作電圧を順次印加して画像を表示する液晶表示素子と、この液晶表示素子の観察側とは反対側に配置されたバックライトとを備えたものが知られている。
【０００３】
前記バックライトは、板状の透明部材からなり、前記液晶表示素子の画素行と平行な方向の一端面に光を入射させるための入射端面が形成され、前記液晶表示素子と対向する板面に前記入射端面から入射した光の出射面が形成され、反対側の板面に前記入射端面から入射した光を前記出射面に向けて反射する反射面が形成された導光板と、前記導光板の前記入射端面に対向させて、前記液晶表示素子の複数の画素行のピッチに対応したピッチで、前記液晶表示素子の画素行数と同数配列された発光素子とから構成されている（特許文献１参照）。
【０００４】
この液晶表示装置は、前記液晶表示素子の複数の画素行への前記動作電圧の順次印加に同期させて前記バックライトの複数（液晶表示素子の画素行数と同数）の発光素子を順次点灯させることにより、前記液晶表示素子の複数の画素行のうちの前記動作電圧が印加された画素行に向けて選択的に照明光を照射するようにしたものであり、この液晶表示装置によれば、前記液晶表示素子の複数の画素行への動作電圧の順次印加に対応して、前記複数の画素行から順次画像光を出射させる表示を行なうことができる。
【特許文献１】特開２００２−３４１３１２号公報
【発明の開示】
【発明が解決しようとする課題】
【０００５】
しかし、液晶表示素子の画素行数と同数の発光素子からの光をそれぞれ前記液晶表示素子の複数の画素行に向けて照射する従来の液晶表示装置は、前記複数の発光素子を、前記液晶表示素子の複数の画素行にそれぞれ対応させて高精度に位置決めして配置しなければならならないため、組立てが難しく、製造コストが高くなる。
【０００６】
この発明は、液晶表示素子の複数の画素行への動作電圧の順次印加に対応して、前記複数の画素行から順次画像光を出射させる表示を行なうことができ、しかも、バックライトを構成する発光素子の構造及び配置を単純化した液晶表示装置を提供することを目的としたものである。
【課題を解決するための手段】
【０００７】
この発明の請求項１に記載の液晶表示装置は、
光の透過を制御する複数の画素が行及び列方向に複数に配列され、前記行方向に配列した複数の画素からなる複数の画素行毎に、画像データに対応した各画素の動作電圧を順次印加して画像を表示する液晶表示素子と、
前記液晶表示素子の観察側とは反対側に配置され、前記液晶表示素子と対向する側に、前記画素行と平行な方向の一端側から光を入射させ、その光を他端方向に通過させる導光空間を形成し、且つ、前記液晶表示素子と対向する面に、前記面に対して倒伏した状態と、前記面に対して前記導光空間の他端方向に向かって斜めに起き上がり、前記導光空間に前記一端側から入射した光を前記液晶表示素子に向けて反射する状態とに制御される複数のマイクロミラーが複数行に配列させて設けられ、これらのマイクロミラーが、前記液晶表示素子の複数の画素行にそれぞれ対応する複数のマイクロミラー群毎に、前記液晶表示素子の複数の画素行への前記動作電圧の順次印加に同期させて順次前記起き上がり状態に制御されるマイクロミラー配列パネルと、前記導光空間の一端に対向させて配置され、前記導光空間に向けて光を出射する複数の発光素子とからなるバックライトと、
を備えることを特徴とする。
【０００８】
請求項２に記載の発明は、前記請求項１に記載の液晶表示装置において、前記バックライトは、前記マイクロミラー配列パネルの前記液晶表示素子と対向する側に、前記マイクロミラー配列パネルとの間に間隙を設けて配置された透明板をさらに備えており、前記導光空間は、前記マイクロミラー配列パネルと前記透明板との間の間隙により形成されていることを特徴とする。
【０００９】
請求項３に記載の発明は、前記請求項１または２に記載の液晶表示装置において、前記バックライトと前記液晶表示素子との間に、前記マイクロミラー配列パネルの起き上がり状態に制御されたマイクロミラーにより前記液晶表示素子に向けて反射された光を拡散させる拡散層が設けられていることを特徴とする。
【発明の効果】
【００１０】
この発明の液晶表示装置によれば、前記液晶表示素子の複数の画素行への動作電圧の順次印加に対応して、前記複数の画素行から順次画像光を出射させるバックライトにおいて、そのバックライトを構成する発光素子の数を低減し、また前記発光素子の配置を容易にすることができる。
【発明を実施するための最良の形態】
【００１１】
図１〜図４はこの発明の一実施例を示しており、図１は液晶表示装置の側面図、図２は前記液晶表示装置のバックライトを構成するマイクロミラー配列パネル及び複数の発光素子の平面図、図３は前記液晶表示装置の１つの画素行に沿うマイクロミラー倒伏状態の拡大断面図、図４は前記液晶表示装置の１つの画素行に沿うマイクロミラー起き上がり状態の拡大断面図である。
【００１２】
この液晶表示装置は、光の透過を制御する複数の画素が行方向及び列方向に複数配列され、行方向に配列した複数の画素からなる画素行毎に、画像データに対応した動作電圧を順次印加して画像を表示する液晶表示素子１と、前記液晶表示素子１の観察側（図１において上側）とは反対側に配置され、前記液晶表示素子１の各画素行への動作電圧の順次印加に同期して、前記液晶表示素子１の複数の画素行のうちの前記動作電圧が印加された画素行に向けて選択的に照明光を照射するバックライト１５とからなっている。
【００１３】
前記液晶表示素子１は、例えばＴＦＴ（薄膜トランジスタ）を能動素子とした透過型のアクティブマトリックス液晶表示素子であり、図３及び図４のように、枠状のシール材４（図１参照）を介して接合された観察側とその反対側の一対の透明基板２，３間の前記シール材４で囲まれた領域に液晶層５が封入され、前記一対の基板２，３の対向する内面の一方、例えば観察側とは反対側の基板３の内面に、行方向（画面の左右方向）及び列方向（画面の上下方向）にマトリックス状に配列させて形成された複数の透明な画素電極６と、これらの画素電極６にそれぞれ接続された複数のＴＦＴ７と、各行のＴＦＴ７にゲート信号を供給する複数の走査線及び各行のＴＦＴ７にデータ信号を供給する複数の信号線（いずれも図示せず）とが設けられ、他方の基板、つまり観察側の基板２の内面に、前記複数の画素電極６に対応する一枚膜状の透明な対向電極８と、前記複数の画素電極６と前記対向電極８とが互いに対向する領域からなる複数の画素１４にそれぞれ対応させて形成された赤、緑、青の３色のカラーフィルタ９Ｒ，９Ｇ，９Ｂとが設けられ、前記一対の基板２，３の外面にそれぞれ偏光板１２，１３が配置された構成となっている。
【００１４】
なお、図３及び図４では前記ＴＦＴ７を簡略化しているが、前記ＴＦＴ７は、前記反対側の基板３の板面上に形成されたゲート電極と、前記ゲート電極を覆って前記複数の画素電極６の配列領域の全域に形成された透明なゲート絶縁膜と、前記ゲート絶縁膜の上に前記ゲート電極と対向させて形成されたｉ型半導体膜と、前記ｉ型半導体膜のチャンネル領域を挟む両側部の上にｎ型半導体膜を介して形成されたドレイン電極及びソース電極とからなっている。
【００１５】
また、前記複数の走査線は、前記反対側の基板３の板面上に形成され、前記ＴＦＴ７のゲート電極に接続されており、前記複数の信号線は、前記ゲート絶縁膜の上に形成され、前記ＴＦＴ７のドレイン電極に接続されている。
【００１６】
そして、前記複数の画素電極６は、前記ゲート絶縁膜の上に形成され、これらの画素電極６にそれぞれ対応する前記ＴＦＴ７のソース電極に接続されている。
【００１７】
さらに、前記一対の基板２，３の内面にはそれぞれ、前記電極８，６を覆って配向膜１０，１１が形成されており、前記液晶層５の液晶分子は、前記配向膜１０，１１により規定される予め定めた配向状態に配向している。
【００１８】
この液晶表示素子１は、前記液晶層の液晶分子をツイスト配向させたＴＮまたはＳＴＮ型、液晶分子を基板２，３面に対して実質的に垂直に配向させた垂直配向型、液晶分子をツイストさせることなく基板２，３面に対して実質的に平行に配向させた水平配向型、液晶分子をベンド配向させるベンド配向型のいずれか、あるいは強誘電性または反強誘電性液晶表示素子であり、前記一対の偏光板５，６は、それぞれの透過軸の向きを、良好なコントラストが得られるように設定して配置されている。
【００１９】
なお、この実施例の液晶表示素子１は、一対の基板２，３の内面それぞれに設けられた電極６，８間に電界を生じさせて液晶分子の配向状態を変化させるものであるが、液晶表示素子は、一対の基板のいずれか一方の内面に複数の画素を形成する例えば櫛状の第１と第２の電極を設け、これらの電極間に横電界（基板面に沿う方向の電界）を生じさせて液晶分子の配向状態を変化させる横電界制御型のものでもよい。
【００２０】
前記液晶表示素子１は、図示しない表示ドライバにより、行方向に配列した複数の画素１４からなるそれぞれの画素行毎に、画像データに対応した動作電圧が順次印加されて画像を表示する。
【００２１】
次に、前記バックライト１５について説明すると、このバックライト１５は、前記液晶表示素子１の観察側とは反対側に、前記液晶表示素子１から離間させて配置され、前記液晶表示素子１と対向する側に、前記画素行と平行な方向の一端側から光を入射させ、その光を他端方向に通過させる導光空間１８を形成し、且つ、前記液晶表示素子１と対向する面に、前記面に対して倒伏した状態と、前記面に対して前記導光空間１８の他端方向に向かって斜めに起き上がり、前記導光空間１８に前記一端側から入射した光を前記液晶表示素子１に向けて反射する状態とに制御される複数のマイクロミラー１９が複数行に配列させて設けられ、これらのマイクロミラー１９が、前記液晶表示素子１の複数の画素行にそれぞれ対応する複数のマイクロミラー群毎に、前記液晶表示素子１の複数の画素行への前記動作電圧の順次印加に同期させて順次前記起き上がり状態に制御されるマイクロミラー配列パネル１６と、前記導光空間１８の一端に対向させて配置され、前記導光空間１８に向けて光を出射する複数の発光素子２３とからなっている。
【００２２】
前記マイクロミラー配列パネル１６は、前記液晶表示素子１の外形に対応する矩形形状のパネル基板１７の上に、前記液晶表示素子１の画面エリア（複数の画素１４の配列領域）に対応する領域の全体にわたって、例えばＣＭＯＳ（相補型金属酸化膜半導体）をベースとするミラー駆動素子（図示せず）により、前記パネル基板１７面に対して倒伏した状態と、前記パネル基板１７面に対して３０°〜５０°の範囲内の予め定めた角度で斜めに起き上がる状態とに制御されるＤＬＰ型またはＭＥＭＳ型等の複数のマイクロミラー１９を、これらのマイクロミラー１９の起き上がり方向を一方向（導光空間１８の他端方向）に揃えて、前記液晶表示素子１の複数の画素行と平行な方向及び前記画素行と直交する方向に密なピッチで配列させて設けたものであり、前記マイクロミラー１９は、縦横の幅が１０μｍ〜２０μｍの四角形状の極薄金属片（例えばアルミニウム片）からなっている。
【００２３】
また、前記バックライト１５は、前記マイクロミラー配列パネル１６と略同じ面積を有する矩形形状に形成され、前記マイクロミラー配列パネル１６の前記液晶表示素子１と対向する側に、前記マイクロミラー配列パネル１６との間に間隙を設けて前記マイクロミラー配列パネル１６のパネル基板１７面と平行に配置された透明板２０をさらに備えており、前記導光空間１８は、前記マイクロミラー配列パネル１６と前記透明板２０との間の間隙により形成されている。
【００２４】
そして、前記導光空間１８の一端には、前記マイクロミラー配列パネル１６及び透明板２０の液晶表示素子１の画素行と直交する方向の幅寸法と実質的に同じ長さを有する細長形状の透明な導光部材２１が、その一側面を前記導光空間１８に対向させて配置されており、前記導光空間１８の他端には、前記導光空間１８にその一端側から入射し、前記導光空間１８を他端方向に通過した光を吸収するための光吸収板２２が配置されている。
【００２５】
また、前記複数の発光素子２３は、ＬＥＤ（発光ダイオード）からなっており、前記導光部材２１の外側（導光空間１８側の面とは反対側の面の外側）に、光出射面を前記導光部材２１の外側面に対向させて、前記導光部材２１の長さ方向に予め定めた間隔で並べて配置されている。
【００２６】
なお、前記導光部材２１は、前記導光空間１８に対向する内側面の高さが前記マイクロミラー配列パネル１６と透明板２０との間隙と実質的に同じで、外側面の高さが前記内側面の高さよりも小さい台形状の断面形状を有しており、前記複数の発光素子２３から出射し、前記導光部材２１にその外側面から入射した光のうち、前記導光部材２１の内側面に直接向かう光を前記内側面から前記導光空間１８に出射し、前記導光部材２１の上下面に向かう光を、前記上下面と外気（空気）との界面で全反射して前記内側面から前記導光空間１８に出射する。
【００２７】
また、前記複数の発光素子２３の数及び配置間隔は、前記複数の発光素子２３からそれぞれ出射し、前記導光部材２１により導かれて前記導光空間１８に入射する光の強度が、前記液晶表示素子１の画素行と直交する方向の全長にわたって略均等になるように設定されている。
【００２８】
そして、前記複数の発光素子２３は、図示しない発光素子駆動回路により、液晶表示装置の使用中継続して点灯され、前記マイクロミラー配列パネル１６の複数のマイクロミラー１９は、それぞれのミラー駆動素子に選択的に駆動信号を供給する図示しないマイクロミラー駆動回路により、図３のようにパネル基板１７面に対して倒伏した状態と、図４のように前記パネル基板１７面に対して前記導光空間１８の他端方向に向かって斜めに起き上がり、前記導光空間１８に前記一端側から入射した光を前記液晶表示素子１に向けて反射する状態とに制御される。
【００２９】
前記マイクロミラー駆動回路は、前記マイクロミラー配列パネル１６の複数のマイクロミラー１９を、前記液晶表示素子１の複数の画素行にそれぞれ対応する複数のマイクロミラー群毎に、前記液晶表示素子１の複数の画素行への前記動作電圧の順次印加に同期させて順次前記起き上がり状態に制御する。
【００３０】
なお、前記マイクロミラー配列パネル１６の各マイクロミラー群のマイクロミラー１９を起き上がり状態に制御する時期は、それぞれのマイクロミラー群が対応する画素行への動作電圧の印加期間と同じか、或いは、前記対応する画素行への動作電圧の印加期間に対して液晶の応答性に応じて予め定めた時間後に設定されており、また、前記マイクロミラー１９を起き上がり状態に維持する時間は、前記液晶表示素子１の１つの画素行の選択期間（動作電圧の印加期間）と同じか、それよりも短い時間に設定されている。
【００３１】
また、図では前記マイクロミラー１９を大きく誇張しているが、前記マイクロミラー１９の縦横の幅は上述したように１０μｍ〜２０μｍであり、それに対して、前記液晶表示素子１の１つの画素１４の縦横の幅は５０μｍ〜１００μｍであるため、この実施例では、５行〜１０行のマイクロミラー１９を１つのマイクロミラー群とし、前記５行〜１０行ずつのマイクロミラー１９を順次起き上がり状態に制御するようにしている。
【００３２】
また、前記バックライト１５の前記透明板２０と前記液晶表示素子１との間には、前記複数の発光素子２３から出射して前記導光空間１８に入射し、前記マイクロミラー配列パネル１６の起き上がり状態に制御されたマイクロミラー１９により前記液晶表示素子１に向けて反射された光を拡散させる拡散層２４が設けられている。
【００３３】
なお、この実施例では、前記拡散層２４を、光散乱粒子を分散させた透明な粘着剤層により形成し、前記透明板２０を、前記拡散層２４を介して前記液晶表示素子１の観察側とは反対側の面（偏光板１３の外面）に貼り付けている。
【００３４】
この液晶表示装置は、前記液晶表示素子１の観察側とは反対側に、前記液晶表示素子１から離間させて配置され、前記液晶表示素子１と対向する側に、前記液晶表示素子１の画素行と平行な方向の一端側から光を入射させ、その光を他端方向に通過させる導光空間１８を形成し、且つ、前記液晶表示素子１と対向する面に、前記面に対して倒伏した状態と、前記面に対して前記導光空間１８の他端方向に向かって斜めに起き上がり、前記導光空間１８に前記一端側から入射した光を前記液晶表示素子１に向けて反射する状態とに制御される複数のマイクロミラー１９が複数行に配列させて設けられ、これらのマイクロミラー１９が、前記液晶表示素子１の複数の画素行にそれぞれ対応する複数のマイクロミラー群毎に、前記液晶表示素子１の複数の画素行への動作電圧の順次印加に同期させて順次前記起き上がり状態に制御されるマイクロミラー配列パネル１６と、前記導光空間１８の一端に対向させて配置され、前記導光空間１８に向けて光を出射する複数の発光素子２３とからなるバックライト１５を配置しているため、前記液晶表示素子１の複数の画素行への動作電圧の順次印加に対応して、前記複数の画素行から順次画像光を出射させる表示を行なうことができる。
【００３５】
すなわち、前記バックライト１５は上記のような構成であるため、液晶表示装置の使用中継続して点灯される前記複数の発光素子２３から出射し、前記導光部材２１により導かれて前記導光空間１８にその一端側から入射した光のうち、前記マイクロミラー１９が倒伏状態に制御された領域に向かって入射した光が、前記導光空間１８を直進するか、図３に矢線で示したように、倒伏したマイクロミラー１９または前記透明板２０と前記導光空間１８との界面で反射されて前記導光空間１８を他端方向に通過し、前記マイクロミラー１９が起き上がり状態に制御された領域に向かって入射した光が、図４に矢線で示したように、起き上がったマイクロミラー１９により反射され、前記透明板２０を透過し、さらに前記拡散層２４により拡散されて前記液晶表示素子１に向けて照射される。なお、前記導光空間１８を他端方向に通過した光は、前記光吸収板２２により吸収される。
【００３６】
そして、この液晶表示装置は、前記マイクロミラー配列パネル１６の複数のマイクロミラー１９を、前記液晶表示素子１の複数の画素行にそれぞれ対応する複数のマイクロミラー群毎に、前記液晶表示素子１の複数の画素行への動作電圧の順次印加に同期させて順次前記起き上がり状態に制御するようにしているため、前記液晶表示素子１の複数の画素行への動作電圧の順次印加に対応して、前記複数の画素行から順次画像光を出射させる表示を行なうことができる。
【００３７】
そのため、この液晶表示装置は、前記液晶表示素子１の動作電圧が印加された画素行以外の画素行からの光の出射を無くして動画表示特性を向上させるとともに、輝度むらの無い高品質の表示を行なうことができる。
【００３８】
この液晶表示装置において、前記マイクロミラー配列パネル１６の各マイクロミラー群のマイクロミラー１９は、それぞれのマイクロミラー群が対応する画素行への動作電圧の印加期間よりも前記動作電圧に対する液晶の応答時間後に、前記起き上がり状態に制御するのが好ましく、このようにすることにより、動画表示特性をさらに向上させることができる。
【００３９】
しかも、この液晶表示装置は、前記バックライト１５の複数の発光素子２３を、液晶表示装置の使用中継続して点灯させ、前記マイクロミラー配列パネル１６の複数のマイクロミラー１９を、前記液晶表示素子１の複数の画素行にそれぞれ対応する複数のマイクロミラー群毎に、前記液晶表示素子１の複数の画素行への動作電圧の順次印加に同期させて順次前記起き上がり状態に制御することにより、前記複数の発光素子２３からの出射光を、前記起き上がり状態に制御されたマイクロミラー１９により反射して前記液晶表示素子１の複数の画素行に向けて順次照射するものであるため、液晶表示素子の画素行数と同数の発光素子からの光をそれぞれ前記液晶表示素子の複数の画素行に向けて照射する従来の液晶表示装置のように、前記複数の発光素子を、前記液晶表示素子の複数の画素行にそれぞれ対応させて高精度に位置決めして配置する必要が無く、したがって、前記バックライト１５を構成する前記発光素子２３の配置を容易にし、製造コストを低減することができる。
【００４０】
また、この液晶表示素子は、複数の発光素子２３を、これらの発光素子２３からそれぞれ出射して前記導光空間１８に入射する光の強度が、前記液晶表示素子１の画素行と直交する方向の全長にわたって略均等になるような間隔で設定すればよいため、前記従来の液晶表示装置に比べて発光素子数を少なくし、さらに製造コストを低減することができる。
【００４１】
さらに、上記実施例の液晶表示装置は、前記マイクロミラー配列パネル１６の液晶表示素子１と対向する側に、前記マイクロミラー配列パネル１６との間に間隙を設けて透明板２０を配置し、前記導光空間１８を、前記マイクロミラー配列パネル１６と前記透明板２０との間の間隙により形成しているため、前記複数の発光素子２３から出射して前記導光空間１８に入射した光のうち、前記液晶表示素子１に向かう光を、前記透明板２０と前記導光空間１８との界面で反射することができる。
【００４２】
そのため、前記マイクロミラー配列パネル１６のマイクロミラー１９を起き上がり状態に制御されたマイクロミラー群に対応する以外の領域から液晶表示素子１に向けて光が照射されることが無いため、前記液晶表示素子１の動作電圧が印加された画素行以外の画素行からの光の出射をさらに確実に無くすことができる。
【００４３】
また、上記実施例の液晶表示装置は、前記バックライト１５と前記液晶表示素子１との間に拡散層２４を設けているため、前記複数の発光素子２３から出射し、前記マイクロミラー配列パネル１６の起き上がり状態に制御されたマイクロミラー群の各マイクロミラー１９により反射された光を、前記拡散層２４により拡散して、均一な強度分布の照明光を前記液晶表示素子１に向けて照射することができ、したがって、前記液晶表示素子１に、より高品質の画像を表示させることができる。
【００４４】
なお、上記実施例のマイクロミラー配列パネル１６は、平板状のパネル基板１７の上に複数のマイクロミラー１９を設けたものであるが、前記マイクロミラー配列パネル１６は、図５に示した他の実施例のように、液晶表示素子１と対向する面を、前記導光空間１８の入射端側から他端方向に向かって順次高くした階段状面に形成したパネル基板１７ａの各段面にそれぞれ複数のマイクロミラー１９を前記段面の長手方向（液晶表示素子１の画素行に対して直交する方向）に配列させて設けたものでもよい。
【００４５】
さらに、上記実施例では、バックライト１５と液晶表示素子１との間に拡散層２４を設けているが、この拡散層２４は省略してもよい。
【００４６】
また、上記実施例では、マイクロミラー配列パネル１６の液晶表示素子１と対向する側に、前記マイクロミラー配列パネル１６との間に間隙を設けて透明板２０を配置し、前記導光空間１８を、前記マイクロミラー配列パネル１６と前記透明板２０との間の間隙により形成しているが、前記透明板２０を省略し、前記マイクロミラー配列パネル１６と前記拡散層２４との間に導光空間１８を形成してもよく、さらに、前記拡散層２４を省略する場合は、前記マイクロミラー配列パネル１６と液晶表示素子１との間に導光空間１８を形成してもよい。
【図面の簡単な説明】
【００４７】
【図１】この発明の一実施例を示す液晶表示装置の側面図。
【図２】前記液晶表示装置のバックライトを構成するマイクロミラー配列パネル及び複数の発光素子の平面図。
【図３】前記液晶表示装置の１つの画素行に沿うマイクロミラー倒伏状態の拡大断面図。
【図４】前記液晶表示装置の１つの画素行に沿うマイクロミラー起き上がり状態の拡大断面図。
【図５】この発明の他の実施例を示す液晶表示装置の側面図。
【符号の説明】
【００４８】
１…液晶表示素子、２，３…基板、６…画素電極、７…ＴＦＴ、８…対向電極、１２，１３…偏光板、１５…バックライト、１６…マイクロミラー配列パネル、１７，１７ａ…パネル基板、１８…導光空間、１９…マイクロミラー、２０…透明板、２１…導光部材、２２…光吸収板、２３…発光素子、２４…拡散層。
【図１】
2008209779.tif 000003
【図２】
2008209779.tif 000004
【図３】
2008209779.tif 000005
【図４】
2008209779.tif 000006
【図５】
2008209779.tif 000007